(57)【要約】【課題】  ユーザの意図に反した画像が記録媒体上に記録されることを防止することができるプリンタを提供することを目的とする。【解決手段】  画像データに基づく画像とともにその画像データに付加されている日付を記録する第２の記録モードが日付選択スイッチ５５で選択されているにも拘らず、ＩｒＤＡ送受信部４０５で受信した画像データが日付データが付加されていない画像データであった場合は、画像の書込みを行なわずに日付選択ＬＥＤ５６を点滅表示してユーザにエラー警告を行なう。【選択図】  図９
2007025065.tif 000002
【特許請求の範囲】
【請求項１】
画像が記録される記録媒体を搬送しながら該記録媒体に画像を書き込むことにより該記録媒体上に該画像を記録するプリンタにおいて、
画像データを受信する画像受信部と、
記録媒体上に、画像データに基づく画像のみを記録する第１の記録モードと、画像データに基づく画像とともに該画像データに付加されている付加データに基づく付加情報を記録する第２の記録モードとのうちのいずれかのモードを選択する記録モード選択部と、
前記記録モード選択部で選択された記録モードに従って記録媒体上に画像、もしくは画像と付加情報の双方を書き込む画像書込部と、
前記記録モード選択部で前記第２の記録モードが選択されているにも拘らず前記画像受信部で受信した画像データが付加情報が付加されていない画像データであった場合にエラー警告を行なうエラー警告部とを備え、
前記画像書込部が、前記記録モード選択部で前記第２の記録モードが選択されているにも拘らず前記画像受信部で受信した画像データが付加情報が付加されていない画像データであった場合に画像の書込みを行なわないものであることを特徴とするプリンタ。
【請求項２】
画像が記録される記録媒体を搬送しながら該記録媒体に画像を書き込むことにより該記録媒体上に該画像を記録するプリンタにおいて、
画像データを受信する画像受信部と、
記録媒体上に、画像データに基づく画像のみを記録する第１の記録モードと、画像データに基づく画像とともに該画像データに付加されている付加データに基づく付加情報を記録する第２の記録モードとのうちのいずれかのモードを選択する記録モード選択部と、
前記記録モード選択部で選択された記録モードに従って記録媒体上に画像、もしくは画像と付加情報の双方を書き込む画像書込部と、
前記記録モード選択部で前記第２の記録モードが選択されているにも拘らず前記画像受信部で受信した画像データが付加情報が付加されていない画像データであった場合にエラー警告を行なうエラー警告部とを備え、
前記画像書込部が、前記記録モード選択部で前記第２の記録モードが選択されているにも拘らず前記画像受信部で受信した画像データが付加情報が付加されていない画像データであった場合に前記第１の記録モードに従って画像の書込みを行なうものであることを特徴とするプリンタ。
【請求項３】
画像が記録される記録媒体を搬送しながら該記録媒体に画像を書き込むことにより該記録媒体上に該画像を記録するプリンタにおいて、
画像データを受信する画像受信部と、
記録媒体上に、画像データに基づく画像のみを記録する第１の記録モードと、画像データに基づく画像とともに該画像データに付加されている日付データに基づく日付を記録する第２の記録モードとのうちのいずれかのモードを選択する記録モード選択部と、
前記記録モード選択部で選択された記録モードに従って記録媒体上に画像、もしくは画像と日付の双方を書き込む画像書込部と、
前記記録モード選択部で前記第２の記録モードが選択されているにも拘らず前記画像受信部で受信した画像データが日付データが付加されていない画像データであった場合にエラー警告を行なうエラー警告部と、
日付を管理するタイマとを備え、
前記画像書込部が、前記記録モード選択部で前記第２の記録モードが選択されているにも拘らず前記画像受信部で受信した画像データが日付データが付加されていない画像データであった場合に、前記画像受信部で受信した画像データに基づく画像と、前記タイマで管理されている日付とを書き込むものであることを特徴とするプリンタ。
【請求項４】
画像が記録される記録媒体を搬送しながら該記録媒体に画像を書き込むことにより該記録媒体上に該画像を記録するプリンタにおいて、
付加データが付加されていることがある画像データを受信するとともに、画像データとは独立に付加データに相当する付加相当データを受信する受信部と、
記録媒体上に、画像データに基づく画像のみを記録する第１の記録モードと、画像データに基づく画像とともに該画像データに付加されている付加データに基づく付加情報を記録する第２の記録モードとのうちのいずれかのモードを選択する記録モード選択部と、
前記記録モード選択部で選択された記録モードに従って記録媒体上に画像、もしくは画像と付加情報の双方を書き込む画像書込部と、
前記記録モード選択部で前記第２の記録モードが選択されているにも拘らず前記画像受信部で受信した画像データが付加情報が付加されていない画像データであった場合にエラー警告を行なうエラー警告部とを備え、
前記画像書込部が、前記受信部で受信した画像データに基づく画像とともに、該受信部で該画像データの受信に先立って受信されている付加相当データに基づく付加情報を書き込むものであることを特徴とするプリンタ。
【発明の詳細な説明】
【技術分野】
【０００１】
本発明は、画像が記録される記録媒体を搬送しながらその記録媒体に画像を書き込むことによりその記録媒体上にその画像を記録するプリンタに関する。
【背景技術】
【０００２】
従来より、インスタント写真シート上に画像を記録するプリンタが知られている。このプリンタには、インスタント写真シートが複数枚重ねられて収容されたインスタントフイルムパックが装填されるパック室が備えられている。また、このプリンタには、パック室に装填されたインスタント写真シートのうちの１枚分のインスタント写真シート搬送方向後端に係止し、そのインスタント写真シートを搬送方向に掻き上げるクロー（爪）や、そのクローの掻き上げを行なうためのカム等の機構部も備えられている。
【０００３】
インスタント写真シート上に画像を記録するには、上記カムの回転等によりパック室内のインスタント写真シートのうちの、１枚目のインスタント写真シートの後端をクローで掻き上げて搬送ローラで搬送し、そのインスタント写真シートに発光素子からの光を照射して潜像を書き込み、さらにそのインスタント写真シートが有する処理液溜りを展開ローラで押し潰して処理液を展開することにより行なう。
【０００４】
このように、画像が記録されるインスタント写真シート等の記録媒体を搬送しながらその記録媒体に画像を書き込むことによりその記録媒体上にその画像を記録するプリンタとして、撮影された日付を画像上の適切な位置に付加することが可能なプリンタが提案されている（例えば特許文献１参照）。
【特許文献１】特開２００２−２７２２９号公報
【発明の開示】
【発明が解決しようとする課題】
【０００５】
上述した特許文献１に提案されたプリンタでは、そのプリンタに着脱自在に装着される可搬型のメモリカードや、そのプリンタとケーブルを介して接続されるデジタルカメラやパーソナルコンピュータ等からの画像データに基づいて、記録媒体上に画像が記録される。このような画像データの中には、日付データが付加されていない画像データも存在する。ここで、ユーザが、日付が付加された画像を記録媒体上に記録しようとする場合であって、そのユーザが画像データに日付データが付加されていないことを把握していない場合、日付が付加されていない画像が記録媒体上に記録される恐れがある。従って、ユーザの意図に反した画像が記録媒体上に記録されるという問題が発生する。
【０００６】
本発明は、上記事情に鑑み、ユーザの意図に反した画像が記録媒体上に記録されることを防止することができるプリンタを提供することを目的とする。
【課題を解決するための手段】
【０００７】
上記目的を達成する本発明のプリンタのうちの第１のプリンタは、画像が記録される記録媒体を搬送しながらその記録媒体に画像を書き込むことによりその記録媒体上にその画像を記録するプリンタにおいて、
画像データを受信する画像受信部と、
記録媒体上に、画像データに基づく画像のみを記録する第１の記録モードと、画像データに基づく画像とともにその画像データに付加されている付加データに基づく付加情報を記録する第２の記録モードとのうちのいずれかのモードを選択する記録モード選択部と、
上記記録モード選択部で選択された記録モードに従って記録媒体上に画像、もしくは画像と付加情報の双方を書き込む画像書込部と、
上記記録モード選択部で上記第２の記録モードが選択されているにも拘らず上記画像受信部で受信した画像データが付加情報が付加されていない画像データであった場合にエラー警告を行なうエラー警告部とを備え、
上記画像書込部が、上記記録モード選択部で上記第２の記録モードが選択されているにも拘らず上記画像受信部で受信した画像データが付加情報が付加されていない画像データであった場合に画像の書込みを行なわないものであることを特徴とする。
【０００８】
本発明の第１のプリンタは、画像データに基づく画像とともにその画像データに付加されている付加データに基づく付加情報を記録する第２の記録モードが選択されているにも拘らず、画像受信部で受信した画像データが付加情報が付加されていない画像データであった場合は、画像の書込みを行なわずに、ユーザに対してエラー警告を行なうものである。このため、日付等の付加情報が付加されていない画像が記録媒体上に記録されることはなく、且つユーザはその旨を警告により知ることができる。従って、ユーザの意図に反した画像が記録媒体上に記録されることを防止することができる。
【０００９】
また、上記目的を達成する本発明のプリンタのうちの第２のプリンタは、画像が記録される記録媒体を搬送しながらその記録媒体に画像を書き込むことによりその記録媒体上にその画像を記録するプリンタにおいて、
画像データを受信する画像受信部と、
記録媒体上に、画像データに基づく画像のみを記録する第１の記録モードと、画像データに基づく画像とともにその画像データに付加されている付加データに基づく付加情報を記録する第２の記録モードとのうちのいずれかのモードを選択する記録モード選択部と、
上記記録モード選択部で選択された記録モードに従って記録媒体上に画像、もしくは画像と付加情報の双方を書き込む画像書込部と、
上記記録モード選択部で上記第２の記録モードが選択されているにも拘らず上記画像受信部で受信した画像データが付加情報が付加されていない画像データであった場合にエラー警告を行なうエラー警告部とを備え、
上記画像書込部が、上記記録モード選択部で上記第２の記録モードが選択されているにも拘らず上記画像受信部で受信した画像データが付加情報が付加されていない画像データであった場合に上記第１の記録モードに従って画像の書込みを行なうものであることを特徴とする。
【００１０】
日付等の付加情報が付加されていない画像データであっても、その画像データに基づく画像を記録媒体上に記録したい場合がある。本発明の第２のプリンタは、画像データに基づく画像とともにその画像データに付加されている付加データに基づく付加情報を記録する第２の記録モードが選択されているにも拘らず画像受信部で受信した画像データが付加情報が付加されていない画像データであった場合に、画像データに基づく画像のみを記録する第１の記録モードに従って画像の書込みを行ない、ユーザに対してはエラー警告を行なうものである。このようにすることにより、日付等の付加情報が付加されていない画像データであってもその画像データに基づく画像を記録媒体上に記録することができ、ユーザはその旨を警告により知ることができる。
【００１１】
さらに、上記目的を達成する本発明のプリンタのうちの第３のプリンタは、画像が記録される記録媒体を搬送しながらその記録媒体に画像を書き込むことによりその記録媒体上にその画像を記録するプリンタにおいて、
画像データを受信する画像受信部と、
記録媒体上に、画像データに基づく画像のみを記録する第１の記録モードと、画像データに基づく画像とともにその画像データに付加されている日付データに基づく日付を記録する第２の記録モードとのうちのいずれかのモードを選択する記録モード選択部と、
上記記録モード選択部で選択された記録モードに従って記録媒体上に画像、もしくは画像と日付の双方を書き込む画像書込部と、
上記記録モード選択部で上記第２の記録モードが選択されているにも拘らず上記画像受信部で受信した画像データが日付データが付加されていない画像データであった場合にエラー警告を行なうエラー警告部と、
日付を管理するタイマとを備え、
上記画像書込部が、上記記録モード選択部で上記第２の記録モードが選択されているにも拘らず上記画像受信部で受信した画像データが日付データが付加されていない画像データであった場合に、上記画像受信部で受信した画像データに基づく画像と、上記タイマで管理されている日付とを書き込むものであることを特徴とする。
【００１２】
本発明の第３のプリンタは、画像データに基づく画像とともにその画像データに付加されている日付データに基づく日付を記録する第２の記録モードが選択されているにも拘らず、画像受信部で受信した画像データが日付データが付加されていない画像データであった場合は、その旨のエラー警告を行ない、その画像受信部で受信した画像データに基づく画像と、タイマで管理されている日付とを書き込むものである。このため、画像受信部で受信した画像データが日付データが付加されていない場合であっても、その画像データに基づく画像とともに日付も書き込まれる。従って、日付が付加された画像をユーザが記録媒体上に記録しようとする場合であって、且つそのユーザが画像データに日付データが付加されていないことを把握していない場合であっても、日付が付加された画像が記録媒体上に記録される。このようにすることにより、ユーザの意図に反した画像が記録媒体上に記録されることを防止することができる。
【００１３】
また、上記目的を達成する本発明のプリンタのうちの第４のプリンタは、画像が記録される記録媒体を搬送しながらその記録媒体に画像を書き込むことによりその記録媒体上にその画像を記録するプリンタにおいて、
付加データが付加されていることがある画像データを受信するとともに、画像データとは独立に付加データに相当する付加相当データを受信する受信部と、
記録媒体上に、画像データに基づく画像のみを記録する第１の記録モードと、画像データに基づく画像とともにその画像データに付加されている付加データに基づく付加情報を記録する第２の記録モードとのうちのいずれかのモードを選択する記録モード選択部と、
上記記録モード選択部で選択された記録モードに従って記録媒体上に画像、もしくは画像と付加情報の双方を書き込む画像書込部と、
上記記録モード選択部で上記第２の記録モードが選択されているにも拘らず上記受信部で受信した画像データが付加情報が付加されていない画像データであった場合にエラー警告を行なうエラー警告部とを備え、
上記画像書込部が、上記受信部で受信した画像データに基づく画像とともに、その受信部でその画像データの受信に先立って受信されている付加相当データに基づく付加情報を書き込むものであることを特徴とする。
【００１４】
本発明の第４のプリンタは、第２の記録モードが選択されているにも拘らず受信部で受信した画像データが付加情報が付加されていない画像データであった場合、その旨のエラー警告を行なって、その受信部で受信した画像データに基づく画像とともに、その受信部でその画像データの受信に先立って受信されている付加相当データに基づく付加情報を、記録媒体に書き込むものである。このため、付加情報が付加されていない画像が記録媒体上に記録されることはなく、ユーザの意図に反した画像が記録媒体上に記録されることを防止することができる。
【発明の効果】
【００１５】
本発明によれば、ユーザの意図に反した画像が記録媒体上に記録されることを防止することができるプリンタを提供することができる。
【発明を実施するための最良の形態】
【００１６】
以下、本発明の実施形態について説明する。
【００１７】
図１は、本発明の第１のプリンタの一実施形態を、斜め前方から見た斜視図である。
【００１８】
このプリンタ１は、携帯電話などと組み合わされて使用されるものであって、露光により潜像が形成され送り出しの際に処理液が展開されて顕像化されるインスタント写真シートが複数枚（ここでは１０枚として説明する）積層されたインスタントフイルムパックがパック室に装填され、そのインスタント写真シートを画像データに応じて露光して外部に送り出しながらそのインスタント写真シートに処理液を展開するものである。このインスタント写真シートが本発明にいう記録媒体の一例に相当する。
【００１９】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたは電子メールなどで携帯電話に送信されてきた画像データが赤外線通信を用いてこのプリンタ１に送信されてきたときに、その画像データに基づいてインスタント写真シート上に画像の記録を行なうものであり、さらにその送信された画像データに基づく画像の再記録を、携帯電話から再送信をわざわざ行なわなくても、後述するリピートスイッチを操作するという簡単な操作で別のインスタント写真シート上に行なえるものである。
【００２０】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタント写真シート一枚一枚に画像の記録が行なわれる。
【００２１】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタントフイルムシートの残り枚数を示すカウンタ１３が設けられている。このカウンタ１３は機械式のカウンタであり、未使用のインスタントフイルムパックが装填されると残り枚数が１０枚であることを示す数値‘１０’が表示される。以下、インスタント写真シートに画像の記録が行なわれる度に枚数が減算された残り枚数を示す数値が表示され、１０枚目のインスタント写真シートに画像の記録が行なわれると残り枚数が０枚であることを示す数値‘０’が表示される。尚、インスタントフイルムパックが抜かれた場合は、何も表示されないブランク状態となる。
【００２２】
また、このプリンタ１の端部には、送受信窓１４が設けられている。この送受信窓１４の内側には、本発明にいう画像受信部の役割を担う後述するＩｒＤＡ送受信部が設けられいる。このＩｒＤＡ送受信部は、赤外線通信により送信されてきた画像データを受信するとともに、受信された旨を相手側に知らせるための信号を送信する。
【００２３】
さらに、このプリンタ１の筐体１ａには、電源が投入されると点灯する電源用ＬＥＤ５１、赤外線通信時に点灯するパイロット用ＬＥＤ５２、赤外線通信においてエラーが発生すると点灯する通信エラー用ＬＥＤ５３、および内蔵された電池電圧が低下するとユーザに電池交換を促すために点灯するローバッテリ表示用のＬＥＤ５４が設けられている。
【００２４】
また、このプリンタ１の筐体１ａには、日付選択スイッチ５５（本発明にいう記録モード選択部の一例に相当）が備えられている。この日付選択スイッチ５５は、インスタント写真シート上に、画像データに基づく画像のみを記録する第１の記録モードと、画像データに基づく画像とともにその画像データに付加されている付加データに基づく付加情報である日付を記録する第２の記録モードとのうちのいずれかのモードを選択する。尚、付加情報には、この日付以外に、シャッタ速度や絞り値等の撮影情報、所望のコメント情報等がある。さらに、このプリンタ１の筐体１ａには、日付選択スイッチ５５により第２の記録モードが選択された場合、即ち画像とともに日付を記録する記録モードが選択された場合に点灯する日付選択ＬＥＤ５６も備えられている。
【００２５】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２６】
図２は、図１に示すプリンタにおいて、カメラ付き携帯電話からの画像データに基づいて画像が記録されたインスタント写真シートが排出される様子を示す図である。
【００２７】
カメラ付き携帯電話１０の赤外線通信部をプリンタ１の送受信窓１４に向けた状態で、そのカメラ付き携帯電話１０を操作して、カメラ付き携帯電話１０で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタント写真シート１００１上に行ないながら、そのインスタント写真シート１００１を顕像しつつ、プリンタ１の送出口１９から外部へ徐々に排出する。その後、リピートＳＷ１２が操作されたときにも、その画像と同じ画像の再記録が別のインスタント写真シート上に行なわれる。
【００２８】
図３は、図１に示すプリンタの下面側を斜め上方から見た斜視図である。
【００２９】
このプリンタ１の下面側には、図２に示すフイルムドア開放スイッチ１８の操作により開放されるフイルムドア２０が設けられており、このフイルムドア２０が開けられ、インスタントフイルムパックがパック室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００３０】
図４は、図３に示すプリンタの、フイルムドアが開けられた状態の斜視図である。
【００３１】
フイルムドア２０の内側には、前述したパック在否確認窓２０ａと、バネ部材２０ｂ,２０ｃが設けられており、これらのバネ部材２０ｂ，２０ｃによってインスタントフイルムパック内に積層されたインスタント写真シートがプリンタ１の上面側に押圧される。
【００３２】
また、プリンタ１には、インスタントフイルムパックを装填するためのパック室２２が設けられている。パック室２２外の、図４における右側には、搬送するインスタント写真シートに画像を書き込む画像書込部３００および媒体搬送展開部３０が設けられている。これら画像書込部３００および媒体搬送展開部３０の詳細については後述する。また、パック室２２内の、図４における下方には、インスタント写真シートを画像書込部３００および媒体搬送展開部３０側に送り出させるためのクロー（爪）２４が設けられている。このような構成によって、インスタントフイルムパック内のインスタント写真シートのうちの、プリンタ１の一番上面側にあるインスタント写真シートがクロー２４で掻き上げられて媒体搬送展開部３０で搬送されながら画像書込部３００で画像が書き込まれて現像される。
【００３３】
図５は、図４に示すプリンタの、筐体が取り外された状態の斜視図である。
【００３４】
図５には、直流モータ４０６と、その直流モータ４０６からの回転駆動力を後述する搬送ロールおよび展開ロールに伝達するギア列３９を備えた媒体搬送展開部３０が示されている。また、この図５には、パック室２２内に設けられたクロー２４も示されている。
【００３５】
図６は、インスタント写真シートの露光面を示す斜視図、図７は、インスタント写真シートの観察面を示す斜視図である。
【００３６】
図６には、インスタント写真シート１００１の露光面１００１＿１が示されている。この露光面１００１＿１には、インスタント写真シート１００１の搬送方向先端部に配備された処理液溜り１００１ａと、画像が露光される露光部１００１ｂと、余白部１００１ｃと、余った処理液を吸収するトラップ部１００１ｄとが設けられている。また、図７には、インスタント写真シート１００１の観察面１００１＿２側が示されている。この観察面１００１＿２には、露光により潜像が形成され処理液の展開を受けて顕像化された画像を観察するための観察部１００１ｅと、余白部１００１ｆが設けられている。
【００３７】
図８は、媒体搬送展開部の断面図である。
【００３８】
媒体搬送展開部３０には、インスタント写真シート１００１の両側部を挟んでそのインスタント写真シート１００１を搬送する一対の搬送ローラ３１，３２が備えられている。搬送ローラ３２は、バネ部材３５＿１で搬送ローラ３１側に付勢されている。
【００３９】
また、媒体搬送展開部３０には、上記一対の搬送ローラ３１，３２よりもインスタント写真シート１００１の搬送方向下流側に配備され、そのインスタント写真シート１００１を全幅に亘って挟んで処理液溜り１００１ａを押し潰して処理液を展開する一対の展開ローラ３３，３４が備えられている。展開ローラ３４は、バネ部材３５＿２で展開ローラ３３側に付勢されている。
【００４０】
さらに、媒体搬送展開部３０には、搬送ローラ３１,３２と展開ローラ３３,３４との間に位置して展開中の処理液を制御するための制御板３６,３７と、インスタント写真シート１００１を案内するためのフイルム案内フレーム３８が備えられている。また、インスタントフイルムパック２５の出口近傍には、画像書込部３００が設けられている。
【００４１】
本実施形態のプリンタ１は、インスタントフイルムパック２５内のインスタント写真シート１００１のうちの、プリンタ１の一番上面側にあるインスタント写真シート１００１を、所定の搬送開始点Ｐｓからクロー２４（図４、図５参照）で掻き上げて、搬送ローラ３１，３２で搬送しながら画像書込部３００で固定書込点Ｐｆにて画像を書き込み始める。さらに、このプリンタ１は、インスタント写真シート１００１に画像を書き込みながら搬送ローラ３１，３２でインスタント写真シート１００１を搬送し、展開ローラ３３，３４で処理液溜り１００１ａを押し潰して処理液を展開し、展開中の処理液を制御板３６,３７で制御して現像を行なって所定の搬送終了点Ｐｅまで搬送する。このようにして、１枚のインスタント写真シート１００１上に画像を記録する。
【００４２】
図９は、プリンタ内部の制御系統を示す構成ブロック図である。
【００４３】
図９の右端側には、図１に示すプリンタ１の模式図が示されており、この右端部を除く全域に、このプリンタ１の制御系統を示す構成が示されている。尚、図９に示す矢印は、このプリンタ１における、制御系統を示す構成要素それぞれの配置関係を示す。
【００４４】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信窓１４に設けられたＩｒＤＡ送受信部４０５と、上述した直流モータ４０６とが備えられている。
【００４５】
サブ基板部２００には、前述した電源ＳＷ１１，リピートＳＷ１２、および電源用ＬＥＤ５１，パイロット用ＬＥＤ５２，通信エラー用ＬＥＤ５３，ローバッテリ表示用のＬＥＤ５４，日付選択ＬＥＤ５６が備えられている。また、前述した日付選択スイッチ５５が、後述するＭＰＵ１０１に接続されている。
【００４６】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられている。この画像書込部３００は、搬送途中のインスタント写真シートに、書込指示パルスに同期してＩｒＤＡ送受信部４０５により受信した画像データに基づいて、日付選択スイッチ５５で選択された記録モードに従ってインスタント写真シート１００１上に画像、もしくは画像と日付の双方を、ＬＥＤ３０４,３０５,３０６からのＲ，Ｇ，Ｂの３つの色光を循環的に照射することにより、そのインスタント写真シート１００１に潜像を書き込む。ここで、この画像書込部３００は、日付選択スイッチ５５で画像データに基づく画像とともにその画像データに付加されている日付を記録する第２の記録モードが選択されているにも拘らずＩｒＤＡ送受信部４０５で受信した画像データが日付データが付加されていない画像データであった場合は、インスタント写真シート１００１に潜像の書込みは行なわないように動作する。また、第２の記録モードが選択されているにも拘らずＩｒＤＡ送受信部４０５で受信した画像データが日付データが付加されていない画像データであった場合は、ユーザにエラー警告を行なうために日付選択ＬＥＤ５６が点滅表示する。このように日付選択ＬＥＤ５６を点滅表示させることにより、この日付選択ＬＥＤ５６に、本発明にいうエラー警告部の役割を担わせている。また、プリンタ１には、３Ｖ用の一次電池４０７が２個内蔵される。
【００４７】
本発明の第１のプリンタの一実施形態であるプリンタ１は、画像データに基づく画像とともにその画像データに付加されている日付を記録する第２の記録モードが選択されているにも拘らず、ＩｒＤＡ送受信部４０５で受信した画像データが日付データが付加されていない画像データであった場合は、画像の書込みを行なわずに、ユーザに対してエラー警告を行なう。このため、日付データが付加されていない画像がインスタント写真シート１００１上に記録されることはなく、従ってユーザの意図に反した画像がインスタント写真シート１００１上に記録されることを防止することができる。以下、詳細に説明する。
【００４８】
メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００４９】
ＭＰＵ１０１は、このプリンタ１の動作を統括的に制御する。
【００５０】
発振子１０２は、所定の周波数の発振信号を生成してＭＰＵ１０１に動作用のクロック信号として供給する。
【００５１】
リセット回路１０３は、ＭＰＵ１０１の初期化を行なうためのリセット信号を出力する。
【００５２】
フラッシュメモリ１０４は、不揮発性のメモリであり、このフラッシュメモリ１０４には、プリンタ１固有の機構等に依存して定まる固体差調整用の調整値等が記憶される。
【００５３】
ＳＤＲＡＭ１０５は、揮発性のメモリであり、このＳＤＲＡＭ１０５には、カメラ付き携帯電話１０からの画像データ等が記憶される。
【００５４】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００５５】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタント写真シートに画像を記録し、速やかに通常の動作モードからスタンバイモードに移行する。また、リピートＳＷ１２が押された場合もインスタント写真シートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００５６】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００５７】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００５８】
ＴＰＧ部１１１は、ＤＣ／ＤＣコンバータ１０８から出力される１５Ｖの電圧をオン，オフする。
【００５９】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００６０】
発振子１１３は、所定の周波数の発振信号を生成してＩｒＤＡ／ＬＣＳ制御部１１４に供給する。
【００６１】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００６２】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００６３】
本実施形態のプリンタ１は、インスタント写真シート１００１を直流モータ４０６で所定の副走査方向（インスタント写真シート１００１が送り出される方向）に送りながら、そのインスタント写真シート１００１上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタント写真シート１００１上にカラー画像を記録するプリンタである。
【００６４】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタント写真シート１００１上に照射され、インスタント写真シート１００１の幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタント写真シートシート１００１上に記録される。この光学ヘッド部３０１の電子走査によってインスタント写真シート１００１の主走査方向に多数のドットからなる光点が記録される。また、上述したように、本実施形態では、直流モータ４０６によりインスタント写真シート１００１が副走査方向に送られている。従って、副走査方向についても画像書込部３００によって多数のドット毎に光点が順次記録されていくこととなる。
【００６５】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００６６】
ＦＰＩ部４０１は、インスタント写真シート１００１の有無を検出するためのフォトインタラプタである。
【００６７】
ＥＮＣＰＩ部４０２は、直流モータ４０６の回転に同期したパルス列からなるエンコード信号を出力するためのフォトインタラプタである。
【００６８】
ＣＯＵＮＴＰＩ部４０３は、カウンタ１３がリセット状態（インスタントフイルムパックが抜かれた状態）を検知するためのフォトインタラプタである。
【００６９】
また、メイン基板部１００には、カムスイッチ４０４が接続されている。このカムスイッチ４０４は、このプリンタ１の搬送機構における初期位置をモニタするためのスイッチである。
【００７０】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００７１】
図１０は、図９に示すプリンタの一連の処理ルーチンのフローチャートである。
【００７２】
図９に示すプリンタ１に電源が投入されると、先ずステップＳ１において、画像受信待ちの状態になる。次いで、ステップＳ２において日付選択スイッチ５５をオンする。これにより、第２の記録モードが選択される。ここで、ステップＳ３において、カメラ付き携帯電話１０（図２参照）からの画像データが赤外線通信を用いてこのプリンタ１に送信される。
【００７３】
プリンタ１では、ステップＳ４において、日付情報（日付データ）が付加されていないか否かが判定される。日付情報が付加されていると判定された場合は、ステップＳ５に進む。ステップＳ５では、日付を合成して印刷する。即ち、インスタント写真シート１００１に画像と日付の双方を記録する。その後、ステップＳ１に戻る。一方、日付情報が付加されていないと判定された場合は、ステップＳ６に進む。ステップＳ６では、日付選択ＬＥＤ５６を点滅表示させることによりエラー警告を行なう。その後、このフローの処理を終了する。
【００７４】
図１１は、本発明の第２のプリンタの一実施形態であるプリンタの内部の制御系統を示す構成ブロック図である。
【００７５】
尚、図１１に示すプリンタ２の外観斜視図は、前述したプリンタ１の外観斜視図と同じであるため、図示省略する。
【００７６】
図１１に示すプリンタ２は、図９に示すプリンタ１と比較し、画像書込部３００が画像書込部５００に置き換えられている点が異なっている。この画像書込部５００は、日付選択スイッチ５５で画像データに基づく画像とともに日付を記録する第２の記録モードが選択されているにも拘らずＩｒＤＡ送受信部４０５で受信した画像データが日付データが付加されていない画像データであった場合に、画像データに基づく画像のみを記録する第１の記録モードに従って画像の書込みを行なう。
【００７７】
日付データが付加されていない画像データであっても、その画像データに基づく画像をインスタント写真シート１００１上に記録したい場合がある。このプリンタ２は、第２の記録モードが選択されているにも拘らずＩｒＤＡ送受信部４０５で受信した画像データが日付データが付加されていない画像データであった場合に、第１の記録モードに従って画像の書込みを行ない、ユーザに対してエラー警告を行なう。このようにすることにより、日付データが付加されていない画像データであってもその画像データに基づく画像をインスタント写真シート１００１上に記録することができ、ユーザはその旨を警告により知ることができる。
【００７８】
図１２は、図１１に示すプリンタの一連の処理ルーチンのフローチャートである。
【００７９】
図１１に示すプリンタ２に電源が投入されると、先ずステップＳ１１において、画像受信待ちの状態になる。次いで、ステップＳ１２において日付選択スイッチ５５をオンする。これにより、第２の記録モードが選択される。さらに、ステップＳ１３において、カメラ付き携帯電話１０からの画像データが赤外線通信を用いてこのプリンタ２に送信される。
【００８０】
プリンタ２では、ステップＳ１４において、日付情報が付加されていないか否かが判定される。日付情報が付加されていると判定された場合は、ステップＳ１５に進む。ステップＳ１５では、日付を合成して印刷する。即ち、インスタント写真シート１００１に画像と日付の双方を記録する。その後、ステップＳ１１に戻る。
【００８１】
一方、日付情報が付加されていないと判定された場合は、ステップＳ１６に進む。ステップＳ１６では、日付を合成せず、印刷する。即ち、インスタント写真シート１００１に日付を記録することなく画像のみを記録する。さらに、ステップＳ１７において、日付選択ＬＥＤ５６を点滅表示させることによりエラー警告を行なって、このフローの処理を終了する。
【００８２】
図１３は、本発明の第３のプリンタの一実施形態であるプリンタの内部の制御系統を示す構成ブロック図である。
【００８３】
尚、図１３に示すプリンタ３の外観斜視図は、前述したプリンタ１の外観斜視図と同じであるため、図示省略する。
【００８４】
図１３に示すプリンタ３は、図９に示すプリンタ１と比較し、画像書込部３００が画像書込部６００に置き換えられている点と、日付を管理するタイマ６０１が追加された点が異なっている。画像書込部６００は、日付選択スイッチ５５で画像データに基づく画像とともに日付を記録する第２の記録モードが選択されているにも拘らずＩｒＤＡ送受信部４０５で受信した画像データが日付データが付加されていない画像データであった場合に、ＩｒＤＡ送受信部４０５で受信した画像データに基づく画像と、タイマ６０１で管理されている日付とをインスタント写真シート１００１上に書き込む。
【００８５】
また、日付選択ＬＥＤ５６は、日付選択スイッチ５５で第２の記録モードが選択されているにも拘らずＩｒＤＡ送受信部４０５で受信した画像データが日付データが付加されていない画像データであった場合に、点滅表示することによりエラー警告を行なう。
【００８６】
このプリンタ３は、画像データに基づく画像とともにその画像データに付加されている日付データに基づく日付を記録する第２の記録モードが選択されているにも拘らず、ＩｒＤＡ送受信部４０５で受信した画像データが日付データが付加されていない画像データであった場合は、その旨を日付選択ＬＥＤ５６で点滅表示してエラー警告を行ない、ＩｒＤＡ送受信部４０５で受信した画像データに基づく画像と、タイマ６０１で管理されている日付とを書き込むものである。このため、ＩｒＤＡ送受信部４０５で受信した画像データが日付データが付加されていない場合であっても、その画像データに基づく画像とともに日付も書き込まれる。従って、日付が付加された画像をユーザがインスタント写真シート１００１上に記録しようとする場合であって、且つそのユーザが画像データに日付データが付加されていないことを把握していない場合であっても、日付が付加された画像がインスタント写真シート１００１上に記録される。このようにすることにより、ユーザの意図に反した画像がインスタント写真シート１００１上に記録されることを防止することができる。
【００８７】
図１４は、図１３に示すプリンタの一連の処理ルーチンのフローチャートである。
【００８８】
図１３に示すプリンタ３に電源が投入されると、先ずステップＳ２１において画像受信待ちの状態になる。次いで、ステップＳ２２において日付選択スイッチ５５をオンする。これにより、第２の記録モードが選択される。さらに、ステップＳ２３において、カメラ付き携帯電話１０からの画像データが赤外線通信を用いてこのプリンタ３に送信される。
【００８９】
プリンタ３では、ステップＳ２４において、日付情報が付加されていないか否かが判定される。日付情報が付加されていると判定された場合は、ステップＳ２５に進む。ステップＳ２５では、日付情報に基づいて日付を設定し、この日付を合成して印刷する。即ち、インスタント写真シート１００１に画像と日付の双方を記録する。その後、ステップＳ２１に戻る。
【００９０】
一方、日付情報が付加されていないと判定された場合は、ステップＳ２６に進む。ステップＳ２６では、プリンタ３のマイコン（ＭＰＵ１０１）でタイマ６０１から日付情報を取得する。さらに、ステップＳ２７において、日付を合成して印刷し、このフローの処理を終了する。
【００９１】
図１５は、本発明の第４のプリンタの一実施形態であるプリンタの内部の制御系統を示す構成ブロック図である。
【００９２】
尚、図１５に示すプリンタ４の外観斜視図は、前述したプリンタ１の外観斜視図と同じであるため、図示省略する。
【００９３】
このプリンタ４に向けて画像データを送信するカメラ付き携帯電話には、画像データに日付データを設定することができる専用のアプリケーションがインストールされている。このカメラ付き携帯電話からは、画像データの送信に先立って、そのアプリケーションで設定された日付データと日付設定コマンドが送信される。
【００９４】
ＩｒＤＡ送受信部７０５は、画像データを受信するとともに、画像データとは独立に、日付データと日付設定コマンドを受信する。これら日付データと日付設定コマンドが、本発明にいう付加相当データに相当する。
【００９５】
画像書込部７００は、ＩｒＤＡ送受信部７０５で受信した画像データに基づく画像とともに、ＩｒＤＡ送受信部７０５で画像データの受信に先立って受信されている日付を、以下のようにしてインスタント写真シート１００１上に書き込む。
【００９６】
ＩｒＤＡ送受信部７０５で受信した日付設定コマンドはＭＰＵ７０１でデコードされ、これにより日付データがフラッシュメモリ１０４に格納される。ここで、上記画像データは、日付選択スイッチ５５で第２の記録モードが選択されているにも拘らず日付データが付加されていない画像データである。このため、ユーザにエラー警告を行なうために日付選択ＬＥＤ５６が点滅表示され、上記画像データに基づく画像とともに日付がインスタント写真シート１００１上に書き込まれる。
【００９７】
このように、プリンタ４は、ＩｒＤＡ送受信部７０５で受信した画像データに基づく画像とともに、そのＩｒＤＡ送受信部７０５でその画像データの受信に先立って受信されている日付を、日付選択ＬＥＤ５６を点滅表示させて書き込む。従って、ＩｒＤＡ送受信部７０５で受信した画像データが日付データが付加されていない場合であっても、その画像データに基づく画像とともに日付が書き込まれることとなり、日付が付加されていない画像がインスタント写真シート１００１上に記録されるということを防止することができる。
【００９８】
図１６は、図１５に示すプリンタの一連の処理ルーチンのフローチャートである。
【００９９】
図１５に示すプリンタ４に電源が投入されると、先ずステップＳ３１において画像受信待ちの状態になる。次いで、ステップＳ３２において、カメラ付き携帯電話から日付設定コマンドが送信される。さらに、ステップＳ３３において日付選択スイッチ５５をオンする。これにより、第２の記録モードが選択される。次いで、ステップＳ３４において、カメラ付き携帯電話から画像データが送信される。
【０１００】
ステップＳ３５では、日付情報が付加されていないか否かが判定される。日付情報が付加されていると判定された場合は、ステップＳ３６に進む。ステップＳ３６では、日付情報に基づいて日付を設定し、この日付を合成して印刷する。即ち、インスタント写真シート１００１に画像と日付の双方を記録する。その後、ステップＳ３１に戻る。
【０１０１】
一方、日付情報が付加されていないと判定された場合は、ステップＳ３７に進む。ステップＳ３７では、プリンタ３のマイコン（ＭＰＵ７０１）でフラッシュメモリ１０４から日付情報を取得する。さらに、ステップＳ３８において、日付を合成して印刷し、このフローの処理を終了する。尚、ＭＰＵ７０１には、日付印刷用のフォントデータが格納されたＲＯＭ（図示せず）が内蔵されており、このフォントデータに基づいた日付が印刷される。さらに、このＲＯＭに、日付印刷用のフォントデータ以外の、「お誕生日おめでとう」等のコメント用のフォントデータを格納しておき、このコメント用のフォントデータに基づいたコメントを画像とともに印刷してもよい。
【０１０２】
尚、上述した実施形態では、画像が記録されるインスタント写真シートを搬送しながらそのインスタント写真シートに画像を書き込むことによりそのインスタント写真シート上にその画像を記録するプリンタ１，２，３，４の例で説明したが、これに限られるものではなく、本発明のプリンタは、画像が記録される記録媒体を搬送しながらその記録媒体に画像を書き込むことによりその記録媒体上にその画像を記録するプリンタであればよい。
【図面の簡単な説明】
【０１０３】
【図１】本発明の第１のプリンタの一実施形態を、斜め前方から見た斜視図である。
【図２】図１に示すプリンタにおいて、カメラ付き携帯電話からの画像データに基づいて画像が記録されたインスタント写真シートが排出される様子を示す図である。
【図３】図１に示すプリンタの下面側を斜め上方から見た斜視図である。
【図４】図３に示すプリンタの、フイルムドアが開けられた状態の斜視図である。
【図５】図４に示すプリンタの、筐体が取り外された状態の斜視図である。
【図６】インスタント写真シートの露光面を示す斜視図である。
【図７】インスタント写真シートの観察面を示す斜視図である。
【図８】媒体搬送展開部の断面図である。
【図９】プリンタ内部の制御系統を示す構成ブロック図である。
【図１０】図９に示すプリンタの一連の処理ルーチンのフローチャートである。
【図１１】本発明の第２のプリンタの一実施形態であるプリンタの内部の制御系統を示す構成ブロック図である。
【図１２】図１１に示すプリンタの一連の処理ルーチンのフローチャートである。
【図１３】本発明の第３のプリンタの一実施形態であるプリンタの内部の制御系統を示す構成ブロック図である。
【図１４】図１３に示すプリンタの一連の処理ルーチンのフローチャートである。
【図１５】本発明の第４のプリンタの一実施形態であるプリンタの内部の制御系統を示す構成ブロック図である。
【図１６】図１５に示すプリンタの一連の処理ルーチンのフローチャートである。
【符号の説明】
【０１０４】
１，２，３，４  プリンタ
１ａ  筐体
１ｂ  ストラップ取付部
１０  カメラ付き携帯電話
１１  電源スイッチ（電源ＳＷ）
１２  リピートスイッチ（リピートＳＷ）
１３  カウンタ
１４  送受信窓
１８  フイルムドア開放スイッチ
１９  送出口
２０  フイルムドア
２０ａ  パック在否確認窓
２０ｂ,２０ｃ，３５＿１，３５＿２  バネ部材
２１  電池蓋
２２  パック室
２４  爪（クロー）
２５  インスタントフイルムパック
３０  媒体搬送展開部
３１,３２  搬送ローラ
３３,３４  展開ローラ
３６，３７  制御板
３８  フイルム案内フレーム
３９  ギア列
５１  電源用ＬＥＤ
５２  パイロット用ＬＥＤ
５３  通信エラー用ＬＥＤ
５４  ローバッテリ表示用のＬＥＤ
５５  日付選択スイッチ
５６  日付選択ＬＥＤ
１００  メイン基板部
１０１，７０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００，５００，６００，７００  画像書込部
３０１  光ヘッド部
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５，７０５  ＩｒＤＡ送受信部
４０６  直流モータ
４０７  一次電池
１００１  インスタント写真シート
１００１＿１  露光面
１００１＿２  観察面
１００１ａ  現像溜まり
１００１ｂ  露光部
１００１ｃ，１００１ｆ  余白部
１００１ｄ  トラップ部
１００１ｅ  観察部
【図１】
2007025065.tif 000003
【図２】
2007025065.tif 000004
【図３】
2007025065.tif 000005
【図４】
2007025065.tif 000006
【図５】
2007025065.tif 000007
【図６】
2007025065.tif 000008
【図７】
2007025065.tif 000009
【図８】
2007025065.tif 000010
【図９】
2007025065.tif 000011
【図１０】
2007025065.tif 000012
【図１１】
2007025065.tif 000013
【図１２】
2007025065.tif 000014
【図１３】
2007025065.tif 000015
【図１４】
2007025065.tif 000016
【図１５】
2007025065.tif 000017
【図１６】
2007025065.tif 000018